(57)【要約】【課題】ハウジング間の前後方向のがたつきを抑制する。【解決手段】互いに嵌合可能な雄側ハウジング２０および雌側ハウジング３０と、雄側ハウジングに突出して形成されたロック突部２２と、雌側ハウジング３０に弾性変形可能に設けられ、ロック突部２２に係止することにより、両ハウジング２０，３０を嵌合状態にロックするロックアーム３８とを備えた防水コネクタ１０であって、ロックアーム３８には、両ハウジング２０，３０が正規の嵌合状態のときに、ロック突部２２に前方から当接して係止する前側係止部４１が形成されていると共に、前側係止部４１がロック突部２２に対して前方から当接したときに、雄側ハウジングに設けられた後側被係止部２７に対して後方から当接して係止する後側係止部４３が形成されているところに特徴を有する。【選択図】図１０
2014059960.tif 000002
【特許請求の範囲】
【請求項１】
互いに嵌合可能な一対のハウジングと、
一方のハウジングに突出して形成されたロック突部と、
他方のハウジングに弾性変形可能に設けられ、前記一対のハウジングが嵌合するときに、前記ロック突部に押圧されて弾性変形し、前記一対のハウジングが正規の嵌合状態に至ると、前記ロック突部を乗り越えることで前記ロック突部に係止して、前記一対のハウジングを嵌合状態にロックするロックアームとを備えたコネクタであって、
前記ロックアームには、前記一対のハウジングが正規の嵌合状態のときに、前記ロック突部に嵌合方向前方から当接する前側係止部が形成されていると共に、前記前側係止部が前記ロック突部に対して嵌合方向前方から当接したときに、前記一方のハウジングに設けられた後側被係止部に対して後方から当接する後側係止部が形成されているコネクタ。
【請求項２】
前記ロックアームは平板状をなし、このロックアームに対して板厚方向に貫通するロック孔を形成することにより、前記ロック孔の前側部分が前側係止部とされており、
前記後側被係止部は、前記一方のハウジングにおいて前記ロック突部が形成された面に凹んで形成されており、
前記後側係止部は、前記ロックアームにおいて、前記ロック突部が形成された面と対向する面に突出して形成されている請求項１記載のコネクタ。
【請求項３】
前記一方のハウジングにおいて前記ロック突部が形成された面には、前記一対のハウジングが嵌合する際に、前記後側被係止部が通過する逃がし溝が形成されている請求項２記載のコネクタ。
【請求項４】
前記後側係止部は、丸みを帯びた形状をなしている請求項２または請求項３記載のコネクタ。
【請求項５】
前記一方のハウジングには、前記ロック突部と前記ロックアームとが係止した際に、前記ロックアームの幅方向両側を覆う一対の保護壁が設けられており、
前記後側被係止部は、前記一対の保護壁間において幅方向に延びる凹溝状に形成され、前記保護壁の下方を幅方向に貫通させた貫通孔と幅方向に連なっている請求項２乃至請求項４の何れか一項に記載のコネクタ。
【請求項６】
前記前側係止部は、前記ロックアームの幅方向中央部に形成されており、
前記後側係止部は、前記ロックアームの幅方向両端部にそれぞれ形成されている請求項１乃至請求項５の何れか一項に記載のコネクタ。
【発明の詳細な説明】
【技術分野】
【０００１】
本発明は、コネクタに関する。
【背景技術】
【０００２】
従来、一方のハウジングに設けられたロックアームと、他方のハウジングに設けられたロック突部とを係止させることにより、両ハウジングを正規の嵌合状態にロックするコネクタとして、下記特許文献１に記載のものが知られている。ロックアームの嵌合方向前端部は、ロック突部と係止可能な係止部とされている。両ハウジングを嵌合させると、係止部がロック突部に乗り上げてロックアームが弾性変形する。そして、両ハウジングが正規の嵌合状態に至ると、係止部がロック突部を乗り越えてロックアームが弾性復帰し、係止部がロック突部に対して嵌合方向前側から係止することにより、両ハウジングが正規の嵌合状態にロックされる。
【先行技術文献】
【特許文献】
【０００３】
【特許文献１】特開２０１２−５４１８６号公報
【発明の概要】
【発明が解決しようとする課題】
【０００４】
ところで、この種のコネクタは、製造交差や組み付け交差などにより、両ハウジング間には前後方向の隙間が生じる場合がある。このため、例えば、上記のコネクタを車両に配索される電線の端末に接続すると、車両の振動に伴って、両ハウジング間に前後方向のがたつきが生じ、ハウジングが破損する虞がある。また、このがたつきに伴って、両ハウジングに設けられた端子同士が前後方向に摺動し、端子間の接続部分が摩耗する虞がある。
【０００５】
本発明は上記のような事情に基づいて完成されたものであって、ハウジング間の前後方向のがたつきを抑制することを目的とする。
【課題を解決するための手段】
【０００６】
本発明は、互いに嵌合可能な一対のハウジングと、一方のハウジングに突出して形成されたロック突部と、他方のハウジングに弾性変形可能に設けられ、前記一対のハウジングが嵌合するときに、前記ロック突部に押圧されて弾性変形し、前記一対のハウジングが正規の嵌合状態に至ると、前記ロック突部を乗り越えることで前記ロック突部に係止して、前記一対のハウジングを嵌合状態にロックするロックアームとを備えたコネクタであって、前記ロックアームには、前記一対のハウジングが正規の嵌合状態のときに、前記ロック突部に嵌合方向前方から当接する前側係止部が形成されていると共に、前記前側係止部が前記ロック突部に対して嵌合方向前方から当接したときに、前記一方のハウジングに設けられた後側被係止部に対して後方から当接する後側係止部が形成されているところに特徴を有する。
【０００７】
このような構成のコネクタによると、一対のハウジングが正規の嵌合状態に至った際に、前側係止部がロック突部に前方から当接することで、一対のハウジングが互いに離脱する方向に移動することを抑制し、後側係止部が後側被係止部に後方から当接することで、一対のハウジングが互いに嵌合する方向に移動することを抑制することができる。これにより、正規の嵌合状態におけるハウジング間の前後方向のがたつきを抑制させることができ、ハウジングが損傷したり、端子間の接続部分が摩耗したりすることを防ぐことができる。
【０００８】
本発明の実施の態様として、以下の構成が好ましい。
前記ロックアームは平板状をなし、このロックアームに対して板厚方向に貫通するロック孔を形成することにより、前記ロック孔の前側部分が前側係止部とされており、前記後側被係止部は、前記一方のハウジングにおいて前記ロック突部が形成された面に凹んで形成されており、前記後側係止部は、前記ロックアームにおいて、前記ロック突部が形成された面と対向する面に突出して形成されている構成としてもよい。
例えば、ロック突部が形成された面に突状の後側被係止部を形成して、この後側被係止部と係止する後側係止部を、ロックアームに対して凹んだ形状に形成すると、ロックアームには、ロック孔だけでなく、凹んだ形状の後側係止部が形成されることになるから、ロックアームの剛性が低下してしまう。ところが、上記のような構成によると、ロックアームの剛性を低下させることなく、ロックアームに対して後側係止部を形成することができる。
【０００９】
前記一方のハウジングにおいて前記ロック突部が形成された面には、前記一対のハウジングが嵌合する際に、前記後側被係止部が通過する逃がし溝が形成されている構成としてもよい。
例えば、ロック突部が形成された面に逃がし溝が形成されていない場合、一対のハウジングを嵌合させると、ロック突部が形成された面と後側係止部とが摺接して後側係止部が損傷する虞がある。ところが、上記の構成によると、後側係止部が逃がし溝内を通過することで後側係止部が損傷することを防ぐことができる。
【００１０】
前記後側係止部は、丸みを帯びた形状をなしている構成としてもよい。
例えば、後側係止部において後側被係止部に当接する部分が平らに形成されている場合、製造公差によって後側係止部が僅かに大きくなったりすると、後側係止部と後側被係止部とが当接する位置がずれることにより、後側被係止部に対して後側係止部を後方からしっかりと当接させることができなくなる虞がある。ところが、上記の構成によると、後側被係止部が丸みを帯びていることから、当接する位置が僅かにずれたとしても、このずれを吸収することができ、後側係止部を後側被係止部に対して後方からしっかりと当接させることができる。
【００１１】
前記一方のハウジングには、前記ロック突部の幅方向両側を覆う一対の保護壁が設けられており、前記後側被係止部は、前記一対の保護壁間において幅方向に延びる凹溝状に形成され、前記保護壁の下方を幅方向に貫通させた貫通孔と幅方向に連なっている構成としてもよい。
このような構成によると、凹溝状の後側被係止部内に水や塵埃などが浸入した場合においても、貫通孔から後側被係止部内の水や塵埃を速やかに外部に排出することができる。これにより、後側被係止部内に水や塵埃などが付着することに伴って、後側被係止部と後側係止部との係止が不安定になることを防ぐことができる。
【００１２】
前記前側係止部は、前記ロックアームの幅方向中央部に形成されており、前記後側係止部は、前記ロックアームの幅方向両端部にそれぞれ形成されている構成としてもよい。
このような構成によると、前側係止部と後側係止部とがそれぞれ一カ所ずつ合計二カ所に形成されている場合に比べて、一対のハウジングが嵌合する方向に移動することを安定して抑制することができる。また、例えば、ハウジングに対して、こじるような力やローリングするような力が作用したとしても、前側係止部と２つの後側係止部との合計３カ所で当接していることから、２カ所で当接している場合に比べて、一対のハウジング間の前後方向のがたつきをさらに抑制させることができる。
【発明の効果】
【００１３】
本発明によれば、ハウジング間の前後方向のがたつきを抑制することを目的とする。
【図面の簡単な説明】
【００１４】
【図１】雌側ハウジングと雄側ハウジングとの嵌合前の状態を示す平面図
【図２】雌側ハウジングと雄側ハウジングとが嵌合した状態を示す平面図
【図３】雌側ハウジングの斜視図
【図４】雌側ハウジングの正面図
【図５】雄側ハウジングの斜視図
【図６】雄側ハウジングの正面図
【図７】雌側ハウジングと雄側ハウジングとが半分程度嵌合した状態を示す断面図であって、図４のＡ−Ａ線における断面に相当する断面図
【図８】ロックアームがロック突起に乗り上げる直前の状態を示す断面図であって、図４のＡ−Ａ線における断面に相当する断面図
【図９】ロックアームがロック突起に乗り上げた状態を示す断面図であって、図４のＡ−Ａ線における断面に相当する断面図
【図１０】雌側ハウジングと雄側ハウジングとが嵌合した状態を示す断面図であって、図４のＡ−Ａ線における断面に相当する断面図
【図１１】ロックアームがロック突起に乗り上げる直前の状態を示す断面図であって、図４のＢ−Ｂ線における断面に相当する断面図
【図１２】ロックアームがロック突起に乗り上げた状態を示す断面図であって、図４のＢ−Ｂ線における断面に相当する断面図
【図１３】雌側ハウジングと雄側ハウジングとが嵌合した状態を示す断面図であって、図４のＢ−Ｂ線における断面に相当する断面図
【発明を実施するための形態】
【００１５】
＜実施形態＞
本発明の実施形態について図１乃至図１３を参照して説明する。
本実施形態は、車両の電線Ｗの端末に接続される防水コネクタ（「コネクタ」の一例）１０を例示している。この防水コネクタ１０は、互いに嵌合される雄側ハウジング（「一方のハウジング」に相当する）２０と、雌側ハウジング（「他方のハウジング」に相当する）３０とを備えている。なお、以下の説明において、上下方向とは、図４における上下方向を基準とし、前後方向とは、図７における雄側ハウジング２０と雌側ハウジング３０との嵌合方向を基準として、互いに嵌合する方向を前方として説明する。
【００１６】
雄側ハウジング２０は、図７に示すように、合成樹脂製の機器のケースＭから前方に向かって突出して形成された小フード部２１を有している。なお、図５において、機器のケースは図示省略している。小フード部２１は、図５および図６に示すように、前方に開口するフード状をなし、正面から見た形状は、幅方向に横長で角部が丸みを帯びた略矩形状とされている。小フード部２１の上面２１Ａには、ロック突部２２が突設されている。ロック突部２２は、図７に示すように、小フード部２１の前後方向略中央部に形成されており、小フード部２１の上面２１Ａから上方に向かって真っ直ぐ立ち上がる被係止面２３を有して、被係止面２３の上端から前方に延びた後、斜め下前方に延びる傾斜面２４を有した形状とされている。また、傾斜面２４のうち、上側が比較的緩やかな勾配の緩斜面２４Ｕとされ、下側が比較的急な勾配の急斜面２４Ｄとされている。
【００１７】
小フード部２１の上面２１Ａにおいて、ロック突部２２の幅方向両側には、図５乃至図７に示すように、一対の保護壁２５が形成されている。この保護壁２５は、機器のケースＭから前方に向かって延びてロック突部２２よりも前方に延びた形態をなしており、ロック突部２２の幅方向両側面を覆っている。
小フード部２１の奥壁には、小フード部２１の内部空間に突出する複数（本実施形態では４つ）の雄型端子２６が設けられている。この雄型端子２６は、ピン状をなし、幅方向に間隔を空けて設けられている。
【００１８】
一方、雌側ハウジング３０は、合成樹脂製であって、図７に示すように、電線Ｗの端末に接続された雌型端子５０が収容される端子収容部３１と、端子収容部３１の外周面を覆う大フード部３２とを備えて構成されている。
端子収容部３１は、図７乃至図１３に示すように、雄側ハウジング２０と雌側ハウジング３０との嵌合に伴って、雄側ハウジング２０の小フード部２１内に嵌合されるようになっている。また、端子収容部３１は、前後方向に貫通して形成されており、端子収容部３１の内部には、後方から雌型端子５０が収容されている。
【００１９】
雌型端子５０は、小フード部２１の雄型端子２６が挿入される接続筒部５１と、接続筒部５１の後方に連なって形成されるバレル部５２とを備えて構成されている。接続筒部５１内には、端子収容部３１と小フード部２１との嵌合に伴って、小フード部２１の雄型端子２６が挿入され、接続筒部５１と雄型端子２６とが電気的に接続されるようになっている。バレル部５２は、前後一対ずつの計４つかしめ片５３を有しており、前側のかしめ片５３が電線Ｗの端末において露出された芯線に圧着され、後側のかしめ片５３が電線Ｗに外嵌された円筒状のゴム栓Ｇに圧着されることにより、雌型端子５０が電線Ｗの端末に接続されている。
【００２０】
端子収容部３１の内部には、樹脂ランス３３が形成されており、この樹脂ランス３３が端子収容部３１内に挿入された雌型端子５０を後方から係止することにより、端子収容部３１内に雌型端子５０が抜け止めされている。また、端子収容部３１内に雌型端子５０が収容されると、電線Ｗに装着されたゴム栓Ｇが端子収容部３１の内周壁に密着して、端子収容部３１の後方から端子収容部３１内に水が浸入することを防止している。
【００２１】
端子収容部３１の前側部分には、フロントリテーナ３４が装着されている。このフロントリテーナ３４は、端子収容部３１の前部を覆う形状とされており、フロントリテーナ３４に設けられた図示しない係止部と端子収容部３１に形成された図示しない被係止部とを係止することにより、フロントリテーナ３４が端子収容部３１に保持されている。
フロントリテーナ３４の外周面には、図３および図４に示すように、前後方向に延びるがた詰めリブ３５が周方向に間隔を空けて複数形成されている。このがた詰めリブ３５は、端子収容部３１が小フード部２１内に嵌合された際に、小フード部２１内で端子収容部３１が周方向にがたつくことを抑制するようになっている。
【００２２】
端子収容部３１の外周面における後側には、図７乃至図１３に示すように、小フード部２１内に端子収容部３１が嵌合された際に、小フード部２１の内周面と端子収容部３１の外周面との間をシールするシールリング３６が外嵌されている。このシールリング３６は、フロントリテーナ３４によって、前方に抜け止めされている。
【００２３】
大フード部３２は、前方に向かって開口するフード状に形成されており、両ハウジング２０，３０の嵌合に伴って、大フード部３２の内部に雄側ハウジング２０の小フード部２１が嵌合されるようになっている。
また、大フード部３２は、図１および図３に示すように、上側に開口しており、この上側開口３７内には、前後方向に延びる平板状のロックアーム３８が設けられている。このロックアーム３８は、同ロックアーム３８の前後方向略中央部における幅方向両側に設けられた一対の繋ぎ部３９を介して大フード部３２の上側開口縁部に連結されている。このため、ロックアーム３８は、一対の繋ぎ部３９を支点にシーソー状に弾性変形可能とされている。
【００２４】
ロックアーム３８の前部には、図７乃至図１０に示すように、板厚方向（上下方向）に貫通するロック孔４０が形成されており、このロック孔４０の前方に連なるロックアーム３８の前端部が前側係止部４１とされている。前側係止部４１の後面は、斜め下後方に僅かに傾斜した形態をなし、小フード部２１のロック突部２２における被係止面２３と係止可能な係止面４２とされている。このため、両ハウジング２０，３０の嵌合に伴って、大フード部３２内に小フード部２１が嵌合されると、ロック突部２２の緩斜面２４Ｕにロックアーム３８の前側係止部４１が当接して乗り上げ、図９に示すように、ロックアーム３８が繋ぎ部３９を支点に弾性変形する。そして、大フード部３２と小フード部２１とが正規の嵌合状態に至ると、ロック突部２２がロック孔４０に嵌まり込んでロックアーム３８が弾性復帰し、図１０に示すように、前側係止部４１の係止面４２がロック突部２２の被係止面２３を前方から係止することにより、両ハウジング２０，３０が嵌合状態にロックされるようになっている。
【００２５】
また、前側係止部４１の係止面４２がロック突部２２の被係止面２３を係止すると、係止面４２と被係止面２３の間には上側に向かうほど拡幅するクリアランスＣが形成されるようになっており、ロックアーム３８が弾性変形して前側係止部４１が略円弧状に変位する際に、前側係止部４１とロック突部２２とが干渉しないようになっている。
【００２６】
また、ロックアーム３８の後端部は、解除操作部４４とされており、この解除操作部４４を押圧することにより、ロックアーム３８を弾性変形させて、ロックアーム３８の前側係止部４１とロック突部２２との係止状態を解除することができるようになっている。
【００２７】
さて、小フード部２１の上面２１Ａには、図１および図５に示すように、幅方向に延びる凹溝状の後側被係止部２７が設けられており、ロックアーム３８には、図１０に示すように、ロック突部２２に対して前側係止部４１が前方から当接したときに、後側被係止部２７に嵌合されて後側被係止部２７の内壁に後方から当接する一対の後側係止部４３が突設されている。
【００２８】
一対の後側係止部４３は、図４に示すように、小フード部２１の上面２１Ａと対向するロックアーム３８の下面に形成されており、ロック孔４０の幅方向両側に配されている。また、各後側係止部４３は、ロック孔４０の開口縁からロックアーム３８の幅方向の端部まで全幅に亘って形成されており、図７乃至図１０に示すように、側面から見た形状が丸みを帯びた形態とされている。
【００２９】
一方、後側被係止部２７は、図１および図７に示すように、小フード部２１の上面２１Ａを凹溝状に凹ませて形成されており、保護壁２５の付け根部分を幅方向に貫通して形成した逆台形状の貫通孔２８と幅方向に連なって両保護壁２５の外側まで延びた形状とされている。これにより、後側被係止部２７内に水や塵埃などが浸入した場合においても、後側被係止部２７の幅方向両側の貫通孔２８から後側被係止部２７内の水や塵埃を速やかに外部に排出することができ、後側被係止部２７内に水や塵埃などが付着することに伴って、後側被係止部２７と後側係止部４３との係止が不安定になることを防ぐことができる。
【００３０】
また、後側被係止部２７は、ロック突部２２の前方に隣接して配置されており、後側被係止部２７の幅方向略中央部における後側内壁２７Ａがロック突部２２の急斜面２４Ｄと面一状態となっている。また、後側被係止部２７の後側内壁２７Ａにおけるロック突部２２の幅方向両側の部分が後側係止部４３によって後方から係止されるようになっており、この部分が一対の後側係止部４３によって後方から係止されることにより、両ハウジング２０，３０が互いに嵌合する方向に移動することが抑制されるようになっている。
【００３１】
すなわち、両ハウジング２０，３０が正規の嵌合状態に至ると、前側係止部４１がロック突部２２に前方から当接して被係止面２３を係止することにより両ハウジング２０，３０が互いに離脱する方向に移動することが抑制され、後側係止部４３が後側被係止部２７に後方から当接して後側内壁２７Ａを係止することにより両ハウジング２０，３０が互いに嵌合する方向に移動することが抑制される。これにより、正規の嵌合状態における両ハウジング２０，３０間の前後方向のがたつきを抑制することができる。
【００３２】
また、図２に示すように、前側係止部４１と２つの後側係止部４３とを結ぶ形状が三角形状となるようにして合計３カ所で係止しているので、仮に何れかのハウジングに対して、こじるような力やローリングするような力が作用したとしても、両ハウジング２０，３０間の前後方向のがたつきを確実に抑制することができる。すなわち、前後に１つずつ形成された合計２つの係止部によって両ハウジング間の前後方向のがたつきを抑制する場合に比べて、両ハウジング２０，３０間の前後方向のがたつきを安定して抑制させることができる。
【００３３】
また、図５および図６に示すように、小フード部２１の上面２１Ａにおける後側被係止部２７の前方には、両ハウジング２０，３０を嵌合させる際に、ロックアーム３８の後側係止部４３が通過可能な一対の逃がし溝２９が形成されている。一対の逃がし溝２９は、正面視凹状をなし、小フード部２１の前側開口縁から後方に向かって真っ直ぐ形成されている。また、逃がし溝２９の前後方向の長さ寸法は、両ハウジング２０，３０を嵌合させる際に、後側係止部４３が小フード部２１の前側開口縁に至ったときからロックアーム３８が小フード部２１のロック突部２２に乗り上げるまでの間に後側係止部４３が前後方向に移動した距離よりも僅かに長い寸法とされている。これにより、両ハウジング２０，３０を嵌合させる際に、後側係止部４３が小フード部２１と摺接するなどして損傷することを防ぐことができるようになっている。
【００３４】
本実施形態の防水コネクタ１０は、以上のような構成であって、続いて防水コネクタ１０の作用効果を説明する。
まず、機器のケースＭに設けられた雄側ハウジング２０に対して雌型端子５０が収容された雌側ハウジング３０を向かい合わせにして配置し、図７に示すように、雄側ハウジング２０の小フード部２１を雌側ハウジング３０の大フード部３２内に嵌合させると共に、小フード部２１内に雌側ハウジング３０の端子収容部３１を嵌合させる。
【００３５】
大フード部３２内に小フード部２１のロック突部２２が収容されたところで、図８および図１１に示すように、雄側ハウジング２０の雄型端子２６が端子収容部３１内における雌型端子５０の接続筒部５１内に進入し始めると共に、ロックアーム３８の後側係止部４３が逃がし溝２９内を通過し始める。これにより、後側係止部４３が小フード部２１に摺接するなどして損傷することを防ぐことができる。また、このとき、ロック突部２２の緩斜面２４Ｕにロックアーム３８における前側係止部４１が当接する。
【００３６】
このままさらに両ハウジング２０，３０を嵌合させると、図９および図１２に示すように、端子収容部３１に外嵌されたシールリング３６が小フード部２１の内周面と端子収容部３１の外周面とに密着し、小フード部２１と端子収容部３１との間がシールされる。また、ロックアーム３８の前側係止部４１がロック突部２２に乗り上げ、ロックアーム３８が繋ぎ部３９を支点に弾性変形する。
そして、両ハウジング２０，３０が正規の嵌合状態に至ると、ロック突部２２がロック孔４０内に嵌まり込み、ロックアーム３８が弾性復帰する。すると、図１０および図１３に示すように、ロック突部２２の被係止面２３が前側係止部４１の係止面４２によって前方から係止されると共に、ロックアーム３８の一対の後側係止部４３が後側被係止部２７内に嵌合されて後側被係止部２７の後側内壁２７Ａが後側係止部４３によって後方から係止される。これにより、両ハウジング２０，３０が互いに嵌合方向と離脱方向の双方に移動することを抑制することができる。
【００３７】
すなわち、両ハウジング２０，３０が正規の嵌合状態では、車両の振動に伴って両ハウジング２０，３０間にがたつきが生じることがなく、がたつきに伴って雄側ハウジング２０もしくは雌側ハウジング３０が破損することを防ぐことができる。また、がたつきに伴って雄型端子２６と雌型端子５０間の接続部分が摩耗することを防ぐことができる。
【００３８】
ところで、仮に後側係止部において後側被係止部に当接する部分が平らに形成されている場合、製造交差によって後側係止部が僅かに大きくなったりすると、後側係止部と後側被係止部とが当接する位置がずれるなどして、後側被係止部に対して後側係止部を後方からしっかりと当接させることができなくなる虞がある。ところが、本実施形態によると、図７に示すように、後側係止部４３が丸みを帯びていることから、後側係止部４３と後側被係止部２７とが当接する位置が僅かにずれたとしても、このずれを吸収することができ、後側係止部４３を後側被係止部２７に対して後方からしっかりと当接させて係止させることができる。
【００３９】
以上のように、本実施形態によると、両ハウジング２０，３０が正規の嵌合状態に至った際に、前側係止部４１がロック突部２２を前方から係止すると共に、後側係止部４３が後側被係止部２７を後方から係止することで、両ハウジング２０，３０間の前後方向のがたつきを抑制することができる。
【００４０】
また、本実施形態によると、前側係止部４１と２つの後側係止部４３の合計３カ所で係止する構成となっているので、仮に何れかのハウジングに対して、こじるような力やローリングさせるような力が作用したとしても、両ハウジング２０，３０間の前後方向のがたつきを確実に抑制することができる。これにより、両ハウジング２０，３０間の前後方向のがたつきを安定して抑制することができる。
【００４１】
また、本実施形態によると、ロックアーム３８に突設された後側係止部４３を小フード部２１に形成された凹状の後側被係止部２７に嵌合させるようになっていることから、ロックアーム３８の剛性を低下させることなく、ロックアーム３８に対して後側係止部４３を形成することができる。これにより、例えば、小フード部の上面に突状の後側被係止部を形成して、この後側被係止部と係止する後側係止部を、ロックアームに対して凹んだ形状に形成する場合に比べて、ロックアーム３８の剛性が低下することを防ぐことができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では、防水機能を有する防水コネクタ１０を例示したが、本発明はこのような態様に限定されるものではなく、例えば、防水機能を有していないコネクタにも適用することができる。
（２）上記実施形態では、後側被係止部２７が両保護壁２５の外側まで延びた構成としたが、本発明はこのような態様に限定されるものではなく、例えば、両保護壁２５間における幅方向両端部のみに一対の後側被係止部が形成された構成としてもよい。
（３）上記実施形態では、後側被係止部２７をロック突部２２の前方に構成したが、本発明はこのような態様に限定されるものではなく、例えば、後側被係止部をロック突部の幅方向両側に構成してもよい。
（４）上記実施形態では、後側被係止部２７と逃がし溝２９とをそれぞれ分けて構成したが、本発明はこのような態様に限定されるものではなく、例えば、後側被係止部と逃がし溝とを前後方向に連ねて構成してもよい。
【符号の説明】
【００４３】
１０：防水コネクタ（コネクタ）
２０：雄側ハウジング（一方のハウジング）
２２：ロック突部
２５：保護壁
２７：後側被係止部
２８：貫通孔
２９：逃がし溝
３０：雌側ハウジング（他方のハウジング）
３８：ロックアーム
４０：ロック孔
４１：前側係止部
４３：後側係止部
【図１】
2014059960.tif 000003
【図２】
2014059960.tif 000004
【図３】
2014059960.tif 000005
【図４】
2014059960.tif 000006
【図５】
2014059960.tif 000007
【図６】
2014059960.tif 000008
【図７】
2014059960.tif 000009
【図８】
2014059960.tif 000010
【図９】
2014059960.tif 000011
【図１０】
2014059960.tif 000012
【図１１】
2014059960.tif 000013
【図１２】
2014059960.tif 000014
【図１３】
2014059960.tif 000015